(57)【要約】      （修正有）【課題】断面形状の異なる複数の接続線が機器ケーシングの背面部に電気的に接続されている電子機器において、壁面や柱に取付ける場合だけでなく水平な場所に置く場合にも、簡単かつ見栄えよく、前記接続線の配線処理を行うことを可能とする。【解決手段】電話機への線Ｓ１及びモジュラー端子への線Ｓ２、２本の信号線Ｓ３，Ｓ４、並びに電源線Ｓ５をすべて、支持スタンド２１と機器ケーシングの背面部との間に形成される貫通通路部を通じて下側から上側に抜けるように挿通させる。帯状部材３１を用いて１本ずつあるいはグループ毎にまとめて、支持スタンド２１の保持部２１Ｂに固定する。固定は、接続線あるいはグループ毎にそれらの外側に帯状部材３１を巻き付け、この帯状部材３１の両端部を貫通孔２１Ｂａを通じて反対側に導き出し、それら端部同士をまとめてつなげることで、各接続線あるいはグループを保持部２１Ｂに対して押し付けるように締付固定する。【選択図】図５
2006217394.tif 000002
【特許請求の範囲】
【請求項１】
断面形状の異なる複数の接続線が機器ケーシングに電気的に接続され、壁面あるいは柱に取り付けたり机の上などの水平な場所に置いたりして用いられるもので、前記水平な場所に置いて用いる場合に前記機器ケーシングが支持スタンドにて支持される電子機器であって、
前記機器ケーシングの背面部に被係合部が形成される一方、前記支持スタンドに前記被係合部に係脱可能に係合する係合部が形成されており、
前記支持スタンドに、前記複数の接続線を保持する保持部が形成されていることを特徴とする電子機器。
【請求項２】
前記支持スタンドは、前記接続線を挿通可能である貫通通路部を形成する開孔、あるいは前記機器ケーシングの背面部に着脱可能に取り付けられた状態でその背面部との間に、前記接続線を挿通可能である貫通通路部を形成する切り欠き部を有し、前記貫通通路部が前記保持部を構成することを特徴とする請求項１記載の電子機器。
【請求項３】
前記支持スタンドは、前記水平な場所に接触する底面板部と、この底面板部の周縁より突出する周回壁部とを有し、
前記底面板部の中央部分に前記周回壁部内に突出する前記保持部が設けられ、
前記周回壁部に、前記保持部を挟んで、前記接続線を挿通可能である貫通通路部を形成する開孔、あるいは前記機器ケーシングの背面部に着脱可能に取り付けられた状態でその背面部との間に、前記接続線を挿通可能である貫通通路部を形成する切り欠き部を有することを特徴とする請求項１記載の電子機器。
【請求項４】
前記保持部は中空箱形形状で、前記貫通通路部に臨む複数の貫通孔が形成され、
前記複数の貫通孔に帯状部材を挿通して、前記貫通通路部に挿通される接続線を前記保持部に対し締付固定可能である構成とされていることを特徴とする請求項３記載の電子機器。
【発明の詳細な説明】
【技術分野】
【０００１】
本発明は、インターホンなどの電子機器に関するものである。
【背景技術】
【０００２】
電子機器として、例えば、電話機への線、壁面などのモジュラー端子への線、電源線（電源ケーブル）、警報信号を送受信する制御用の信号線などの複数の接続線が機器ケーシングに接続されるインタホーンが知られている。
【０００３】
そのようなインタホーンは、壁面や柱に取り付けられるのが一般的である。例えば図６（ａ）に示すように、取付金具１０１を壁面１０２のスイッチボックス１０３にビス１０４を用いて固定し、その取付金具１０１の係止爪部１０１ａに機器ケーシング１０５の背面部の被係合孔（図示せず）を引っ掛けて取り付けたり、図６（ｂ）に示すように、取付金具１０１を壁面１０２（あるいは柱）に固定し、取付金具１０１の係止爪部１０１ａに機器ケーシング１０５の背面部の被係合孔を引っ掛けて取り付けたりしている。
【０００４】
このようなインターホンを、壁面や柱に取り付けるのではなく、机の上などの水平な場所に置いて使用したいという要求がある。そのような場合には、水平な場所に安定して置くために支持スタンドを設けることが必要である。
【０００５】
そのような支持スタンドは、機器ケーシングの内部に収納可能に設け、必要な場合（水平な場所に置く場合）だけ支持状態になるように支持スタンドを突出させて用いることが考えられるが、機器ケーシング内には電子部品が搭載された配線基板が設けられており、また、コンパクト化の要求もあることから、スペース的に余裕がない。
【０００６】
それに加えて、前記インターホンは壁面や柱に取り付けられることが多いことから、壁面や柱に取り付けられることを前提として製作されているので、支持スタンドを用いて、机の上などの水平な場所に置くだけでは、機器ケーシングに接続されている複数の接続線（前述した電話機への線、壁面などのモジュラー端子への線、電源線、制御用の信号線など）が雑多に配置されることになり、見栄えが悪い。よって、それら複数の接続線を整然と固定したいという要求がある。
【０００７】
ところで、筐体の外面側に、配線を位置させる定形断面形状の溝を設け、その溝の対向縁に１対の空隙を穿設し、この１対の空隙の長手方向に沿い筐体の内面に１対の挟持壁を設け、その挟持壁に対し嵌着具を嵌着させることで前記溝内に配線を固定する構造において、前記挟持壁の頂部を空隙の長手方向に沿って高さが異なる傾斜面とし、配線の径に応じて挟持壁の高さが高い位置あるいは低い位置に嵌着具を嵌着させて配線を固定するものは知られている（例えば、特許文献１参照）。
【特許文献１】実用新案登録第３０１４２４４号公報（００１０〜００１４及び図１参照）
【発明の開示】
【発明が解決しようとする課題】
【０００８】
しかしながら、そのようなものでは、空隙を設けたり、内面側に挟持壁を設けたりする必要があるので、筐体（機器ケーシング）の構造が複雑になる。特に、前述したインターホンのように、機器ケーシングの背面部に接続される接続線の数が多い場合には、複雑になり、加工も面倒である。
【０００９】
また、前記インターホンに接続される接続線は、断面形状が定まった定形のものばかりでないのはもちろん、接続線の数も特定することができない。そのため、特許文献１記載の技術を適用しようとすると、各種の態様に対応できることを考慮して製作する必要があり、機器ケーシングの背面部の構造がより一層複雑になる。
【００１０】
しかも、前記インターホンは、通常、壁面あるいは柱に取り付けられるものであり、支持スタンドを用いて水平な場所に置いて使用される頻度はかなり少ないと考えられることから、そのような使用頻度の少ない場合を考慮して、機器ケーシングの背面部の構造を複雑にするのは、コスト面でも不利である。
【００１１】
その一方、前記インターホンを壁面に取り付ける場合には、電話機への線やモジュラー端子への線は機器ケーシングの下部から導出し、信号線や電源線などは壁内部で配線される。また、前記インターホンを壁面に取り付ける場合には、前述した接続線が上下に出ることになる。よって、壁面あるいは柱に取り付ける場合には、見栄えを損ねることがなく、複数の接続線を整然と固定したいという要求は、支持スタンドを用いて水平な場所に置く場合だけ満たすことができればよい。
【００１２】
前述したような支持スタンドも必要な場合（水平な場所に置く場合）にだけ用いることができればよいので、支持スタンドを別体とすることが考えられる。このように別体とすれば、支持スタンドの軽量化をあまり考慮する必要もないので、軽量で支持が不安定である収納式とする場合に比べて、支持安定性にも優れ、加工も容易である。
【００１３】
以上の検討結果から、発明者は、支持スタンドを別体で機器ケーシングの背面部に対し着脱可能に取り付けることができる構成として、前記機器ケーシングの背面側に設けられている複数の接続線を保持する機能を支持スタンド側に設けておけば、機器ケーシングの背面部側に複雑な加工を施すことなく、支持スタンドを用いて水平な場所に置く場合のみ、複数の接続線を簡単かつ見栄えよく束ねて保持することができることに着想し、本発明をなすに至ったものである。
【００１４】
本発明は、断面形状の異なる複数の接続線が機器ケーシングの背面部に電気的に接続されている電子機器において、壁面や柱に取付ける場合だけでなく水平な場所に置く場合も、前記接続線の配線処理を、簡単かつ見栄えよくできることを目的とする。
【課題を解決するための手段】
【００１５】
請求項１の発明は、（電話機への線、モジュラー端子への線、電源線、信号線などの）断面形状の異なる複数の接続線が機器ケーシングに電気的に接続され、壁面あるいは柱に取り付けたり机の上などの水平な場所に置いたりして用いられるもので、前記水平な場所に置いて用いる場合に前記機器ケーシングが支持スタンドにて支持される電子機器であって、前記機器ケーシングの背面部に被係合部が形成される一方、前記支持スタンドに前記被係合部に係脱可能に係合する係合部が形成されており、前記支持スタンドに、前記複数の接続線を保持する保持部が形成されていることを特徴とする。
【００１６】
ここで、保持部による保持は、(i)各接続線をそれぞれ別々に保持具で保持する場合、(ii)すべての接続線を１つの保持具で保持する場合、(iii)接続線を複数のグループに分け、そのグループ毎に保持具で保持する場合のほか、(iv)保持具を用いることなく、支持スタンドに、接続線を係止する機能を有する係止凹部を設ける場合も含まれる。特に、支持スタンドが電子機器とは別体であるので、前記(iv)の場合のような係止凹部の加工が簡単に行える。よって接続線の数が多い場合にも、機器ケーシングの背面部にそのような凹部を加工する場合のように、構造が複雑になり加工が面倒になるということもない。
【００１７】
このようにすれば、支持スタンドに、複数の接続線を保持する保持部が形成されるので、支持スタンドを用いて水平な場所に置く場合に前記複数の接続線を保持する部分（例えば、接続線を係脱可能に収納する溝状の凹部）を機器ケーシングに設ける必要がなくなる。また、支持スタンドに、接続線を保持可能な保持部が形成されているので、機器ケーシング（の背面部など）に特別な加工を施すことなく、壁面あるいは柱に取り付ける場合だけでなく、支持スタンドを用いて水平な場所に置くときにも、（前記支持スタンドによって）複数の接続線を見栄えよく保持することができる。
【００１８】
請求項２に記載のように、前記支持スタンドが、前記接続線を挿通可能である貫通通路部を形成する開孔、あるいは前記機器ケーシングの背面部に着脱可能に取り付けられた状態でその背面部との間に、前記接続線を挿通可能である貫通通路部を形成する切り欠き部を有し、前記貫通通路部が前記保持部を構成するようにしてもよい。
【００１９】
このようにすれば、支持スタンドの切り欠き部あるいは開孔によって形成される貫通通路部に、前記接続線が挿通可能である構成とされているので、支持スタンドを用いる場合には、一部又は全部の接続線が前記貫通通路部を挿通するようにすることで接続線を保持する処理を簡単に行える。
【００２０】
請求項３に記載のように、前記支持スタンドは、前記水平な場所に接触する底面板部と、この底面板部の周縁より突出する周回壁部とを有し、前記底面板部の中央部分に前記周回壁部内に突出する前記保持部が設けられ、前記周回壁部に、前記保持部を挟んで、前記接続線を挿通可能である貫通通路部を形成する開孔、あるいは前記機器ケーシングの背面部に着脱可能に取り付けられた状態でその背面部との間に、前記接続線を挿通可能である貫通通路部を形成する切り欠き部を有することが望ましい。ここで、切り欠き部又は開孔の形状は特に制限されず、これらによって形成される貫通通路部に対し複数の接続線を挿通させることで、それらを束ねて保持する機能を発揮できる形状であればよい。
【００２１】
このようにすれば、前記貫通通路部を簡単に形成することができ、その貫通通路部の近くに前記保持部を配置するレイアウトも無理なく実現することができる。
【００２２】
この場合、請求項４に記載のように、前記保持部は中空箱形形状で、前記貫通通路部に臨む複数の貫通孔が形成され、前記複数の貫通孔に帯状部材を挿通して、前記貫通通路部に挿通される接続線を前記保持部に対し締付固定可能である構成とされていることが望ましい。
【００２３】
このようにすれば、前記貫通通路部に挿通される接続線の一本あるいは複数本を、１つの帯状部材で包み込んだ後、その帯状部材の両端部を貫通孔に挿通させて、端部同士をつないでまとめれば、前記接続線を保持部に対し押し付けるように締付固定することができる。よって、接続線が貫通通路部内で動いてばらつくのを確実に回避することができる。
【発明の効果】
【００２４】
以上のように構成したから、本発明は、別体の支持スタンドを利用して、複数の接続線を保持させるようにしているので、支持スタンドを用いて水平な場所に置く場合に、機器ケーシング（の背面部など）に特別な加工を施すことなく、複数の接続線を見栄えよく束ねて保持することができる。
【発明を実施するための最良の形態】
【００２５】
以下、本発明の実施の形態を図面に沿って説明する。
【００２６】
図１は本発明に係る一実施の形態であって水平な場所に置く場合のインターホンの親機（電子機器）を、正面側から見た状態を示す斜視図、図２は同親機を、背面側から見た状態を示す斜視図、図３は同親機において支持スタンドの取付手順を示す斜視図である。
【００２７】
図１に示すように、インターホーンの親機（電子機器）１の箱形形状の機器ケーシング２は、前側ケーシング２Ａと後側ケーシング２Ｂとを結合して構成される。機器ケーシング２の内部には、具体的に図示していないが、各種電子部品を搭載した配線基板が収納されている。
【００２８】
機器ケーシング２の上面部には、子機（図示せず）との通信のためのアンテナ３が設けられている（図４参照）。前面部には、上側から順に、液晶表示部４、スピーカ部５、６つの小型釦部６、１つの大型釦部７および、内部に各種スイッチ類を収納する収納凹部（図示せず）を開閉可能に覆う開閉蓋８が設けられている。下面部には、電話機への線Ｓ１、壁面などのモジュラー端子への線Ｓ２が接続されるコネクタ９Ａ，９Ｂを有するコネクタ部９が設けられている。
【００２９】
機器ケーシング２の背面部には、図２及び図３に示すように、中央部位に深さが比較的浅い中央凹部１１が形成され、その上下側部分にその中央凹部１１を上下に開放する矩形状の上下切り欠き部１１ａ，１１ｂが形成されている。また、上下左右の４隅付近には、前述した取付金具１０１の係止爪部１０１ａに引っ掛けられる被係合孔１１ｃが設けられている。そして、その中央凹部１１の中央部位には、上下方向に延び中央部が最も窪んだ２つの傾斜凹部１２ａ，１２ｂが形成され、それの最も窪んだ部位に警報信号を送受信する制御用の信号線Ｓ３，Ｓ４を接続するための接続部１３ａ，１３ｂが設けられている。それらは３つの突出リブ１４ａ，１４ｂ，１４ｃにて区画されている。
【００３０】
また、前記背面部の左側下部には、電源線Ｓ５（電源コード）およびそれのコネクタＳ５ａが挿入される別の凹部１６が形成されている。
【００３１】
そして、親機１は、壁面や柱に掛けて使用するだけでなく、機器ケーシング２の背面部に、前面部を見やすいように親機１を傾斜した状態に支持する支持スタンド２１が着脱可能に取り付けることで、机の上などの水平な場所に置いて使用することもできるようになっている。
【００３２】
具体的には、中央凹部１１において、接続部１３ａ，１３ｂより少し上方で左右両側に被係合凹部１５ａ，１５ａが形成され、この被係合凹部１５ａ，１５ａに、親機１を壁面や柱に掛けて使用するのではなく、机の上などの水平な場所に置いて使用する場合に、支持スタンド２１の係合部２１ａ，２１ａを係脱可能に係合させることで、機器ケーシング２の背面部に支持スタンド２１が着脱可能に取り付けることができるようになっている。この被係合凹部１５ａ，１５ａの位置は、機器ケーシング２の背面部において、コネクタ部９（コネクタ９Ａ，９Ｂ）、凹部１６、接続部１３ａ，１３ｂの位置よりも上側に設けられている。
【００３３】
そして、機器ケーシング２の背面部に、被係合凹部１５ａ，１５ａと係合部２１ａ，２１ａとの係合関係で、支持スタンド２１が取り付けられた状態では、支持スタンド２１と機器ケーシング２の背面部との間に貫通通路部２１Ｃｂが形成される。そして、その貫通通路部２１Ｃｂに対して接続線（電話機への線Ｓ１、モジュラー端子への線Ｓ２、信号線Ｓ３，Ｓ４，電源線Ｓ５）を下側から上側に抜けるように挿通させることで、すべての接続線を貫通通路部２１Ｃｂ内に束ねることができる。これを前面側から見ると、すべての接続線が機器ケーシング２の上部より導き出され、上方に延びていることになり、見栄えがよくなる。また、このように一方向（上方）に接続線を束ねて導き出すことができるので、他の機器との接続作業などをやりやすいというメリットもある。
【００３４】
このように、インターホンの親機１には、断面形状の異なる複数の接続線（電話機への線Ｓ１、モジュラー端子への線Ｓ２，信号線Ｓ３，Ｓ４，電源線Ｓ５）が電気的に接続されおり、使用者の選択に応じて、親機１は、壁面あるいは柱に取り付けたり、支持スタンド２１を用いて机の上等の水平な場所に置いたりして用いることができる。
【００３５】
続いて、支持スタンド２１の構造について詳細に説明する。
【００３６】
支持スタンド２１は、親機１が置かれる水平な場所の水平面に接触する底面板部２１Ａを備える。この底面板部２１Ａは、中央凹部１１と同じ幅の矩形板状の第１の部分２１Ａａと、この第１の部分２１Ａａの上側部分の両側に連結される小さい矩形板状の、２つの第２の部分２１Ａｂとを有する（図２において第１の部分２１Ａａと第２の部分２１Ａｂとの境界を一点鎖線で示す）。
【００３７】
また、第２の部分２１Ａｂには滑り止めのための円形板状のゴム材２２が貼り付けられている。底面板部２１Ａの中央部分には、第１の部分２１Ａａの中央部分には中空箱形状の保持部２１Ｂが（図２及び図３において下方に）突出して一体に形成されている。なお、第１の部分２１Ａａに中空箱形状の保持部２１Ｂを形成したことで、第１の部分２１Ａａには矩形状の開口が形成されていることになる。この保持部２１Ｂの底面部には、複数の細長い貫通孔２１Ｂａが規則的に等間隔で上下方向に形成され、後述するように複数の貫通孔２１Ｂａに帯状部材３１（保持具）を挿通することで前記各接続線を保持部２１Ｂに対し固定することができる構成とされている。
【００３８】
底面板部２１Ａ（第１及び第２の部分２１Ａａ，２１Ａｂ）の周縁には、保持部２１Ｂの突出方向と同一方向に突出して延びる周回壁部２１Ｃが一体に設けられている。周回壁部２１Ｃのうち機器ケーシング２の上下面部に対応する上下側部分２１Ｃｅ，２１Ｃｆには、保持部２１Ｂ（の幅）に対応する幅を有する切り欠き部２１Ｃａ，２１Ｃｂが形成され、これら切り欠き部２１Ｃａ，２１Ｃｂは保持部２１Ｂを挟んで位置することになる。これにより、支持スタンド２１が機器ケーシング２の背面部に取り付けられた状態で、切り欠き部２１Ｃａ，２１Ｃｂによって、支持スタンド２１と機器ケーシング２の背面部との間に前記接続線を挿通可能である貫通通路部２３が形成される（図２参照）。
【００３９】
下側の切り欠き部２１Ｃａの両側の部分は中央凹部１１の内側面（縦壁面）に当接することにより左右方向の位置決めをする位置決め片部２１Ｃｃ，２１Ｃｃとなっている。この位置決め片部２１Ｃｃは中央凹部１１の深さに相当する長さだけ他部より突出している。
【００４０】
第１の部分２１Ａａの下側部分における周回壁部２１Ｃの左右各側部には、それぞれ、２つのスリット２１Ｃｄ，２１Ｃｄが（保持部２１ｂの突出方向と）平行に形成され、それらスリット２１Ｃｄ，２１Ｃｄの間に、可撓性を有し位置決め片部２１Ｃｃ，２１Ｃｃよりもさらに突出する係合部２１ａが設けられている。なお、この係合部２１ａの先端部は、被係合凹部１５ａに弾性的に係止されるように膨大部となっている。
【００４１】
また、下側の切り欠き部２１Ｃｂの左右からスリット２１Ｃｄまでの間の周回壁部２１Ｃも、位置決め片部２１Ｃｃと同じだけ突出している。よって、この間の周回壁部２１Ｃの部分と位置決め片部２１Ｃｃの先端部分とが、支持スタンド２１が機器ケーシング２の背面部に取り付けられた状態で、中央凹部１１の底面に接触することになる。
【００４２】
そして、机の上などの水平な場所に置いて使用する場合で、機器ケーシング２の背面部に支持スタンド２１を取り付ける場合には、前述した各種接続線の処理を次のように行うことができる。
【００４３】
図４に示すように、電話機への線Ｓ１及びモジュラー端子への線Ｓ２、２本の信号線Ｓ３，Ｓ４、並びに電源線Ｓ５を、支持スタンド２１と機器ケーシング２の背面部との間に形成される貫通通路部２３を通じて下側から上側に（図４のＸ方向に）抜けるように、あまり弛ませることなく挿通させる。これにより、貫通通路部２３を通り抜けた各線Ｓ１〜Ｓ５は、貫通通路部２３を通じて束ねられるが、それぞれの線Ｓ１〜Ｓ５は独立して運動可能であるので、図５に詳細を示すように、可撓性を有する（本例では３本の）帯状部材３１（保持具）を用いて、支持スタンド２１の保持部２１Ｂに固定することも可能である。つまり、帯状部材３１は、断面形状の異なる線毎に（電話機への線Ｓ１、モジュラー端子への線Ｓ２のグループと、２本の信号線Ｓ３，Ｓ４のグループと、電源線Ｓ５とに分けて、それぞれ毎に）、帯状部材３１を用いて保持部２１Ｂ（の内面側）に固定することができる。固定は、具体的には、１つの帯状部材（保持具）で前記断面形状の異なる線あるいはグループ毎に包み込んだ後、その帯状部材３１の両端部を貫通孔２１Ｂａに挿通させて上面側に導き出し、その導き出された端部同士をつないでまとめるとで、前記各接続線あるいはグループを保持部２１Ｂに押し付けるように締付固定することができる。このような帯状部材３１を用いて、接続線あるいはグループ毎に締付固定するので、接続線の断面形状と関係なく、保持することができる。
【００４４】
前記実施の形態は、次のように変更することも可能である。
(i)前記複数の接続線は、貫通通路部２３を通して、保持部２１Ｂに保持させるようにしているが、必ずしも貫通通路部を通す必要はなく、例えば図５に二点鎖線で示すように、支持スタンド２１の外側面２１Ｃｈに保持部となる溝状の凹部２１Ｃｇを設け、その凹部２１Ｃｇに前記接続線を嵌め込み保持具１７にて外れないようにして保持する構成とすることも可能である。この場合には、支持スタンドが取付状態で貫通通路部を形成する必要はないが、前記凹部と貫通通路部とを併用するようにしてもよい。つまり、一部に接続線については貫通通路部を通し、残りの接続線については前記凹部で保持するようにしてもよい。このようにすれば、特に、電話機への線、モジュラー端子への線あるいは電源線などの接続線の断面形状が予めわかっている場合、これらを前記凹部を利用して保持させ、取り付けられるまで断面形状がわからない他の接続線については貫通通路部を利用して束ねて保持させる構成とすることができる。なお、このように凹部を形成して、さらに貫通通路部を形成するようにしても、支持スタンドが別体で加工の自由度が高いので、壁面や柱に設けることを予定してそれらへの取り付けのための溝状の凹部などが形成されている機器ケーシングの背面部などに前述した凹部（保持部）を設ける加工する場合に比べて、加工が容易である。また、そのような凹部を設ける部位も、支持スタンドのいずれの部分でもよく、特に制限されない。
(ii)支持スタンドが機器ケーシングの背面部に取り付けられた状態でその背面部との間に形成される貫通通路部内を、複数の接続線を通すだけでもそれらを束ねる効果があるので、貫通通路部を保持部として機能させ、貫通通路部を通すことだけて複数の接続線を束ねて、支持スタンドに保持させることも可能である。この場合は、束ね効果を高めるために、貫通通路部の大きさ・形状（前記実施の形態での切り欠き部２１Ｃａ，２１Ｃｂの大きさ）を調整することも可能である。例えば大きさ・形状の異なる切り欠き部を複数個設けることも可能である。また、貫通通路部を、切り欠き部ではなく、支持スタンドに設けた開孔で構成することも可能である。
(iii)複数の接続線を保持部２１Ｂに保持する場合に、前述した実施の形態のように断面形状が異なる接続線毎に別の帯状部材３１を用いる必要はなく、断面形状によっては、共通の帯状部材あるいは別の保持具で異なる断面形状の接続線すべてを一緒に束ねて保持することもできる。
(iv)貫通孔２１Ｂａは、接続線の保持のためにすべて使う必要はなく、例えば１つおきに貫通孔を利用し、使用されていない貫通孔が残るようにしてもよいし、貫通孔の形状や貫通孔を設ける間隔を接続線の断面形状に応じて適宜変更することも可能である。
(v)前記実施の形態では、切り欠き部２１Ｃａ，２１Ｃｂの大きさを同じにしているが、接続線が導き出される上側の切り欠き部２１Ｃｂの開口面積を、接続線が導入される下側の切り欠き部２１Ｃａよりも小さくして、接続線がより束ねられて保持されるようにして、見栄えの向上を図ることも可能である。
【図面の簡単な説明】
【００４５】
【図１】本発明に係る一実施の形態であって水平な場所に置かれる場合のインターホンの親機（電子機器）を、正面側から見た状態を示す斜視図である。
【図２】同親機を、背面側から見た状態を示す斜視図である。
【図３】同親機において支持スタンドの取付手順を示す斜視図である。
【図４】同親機に支持スタンドを取り付けた場合の配線状態を示す斜視図である。
【図５】接続線の保持している支持スタンドの拡大断面図である。
【図６】（ａ）（ｂ）はそれぞれインターホンの親機を壁面に取付ける場合の説明図である。
【符号の説明】
【００４６】
１    インターホンの親機
２    機器ケーシング
１５ａ    被係合凹部
２１    支持スタンド
２１ａ    係合部
２１Ａ    底面板部
２１Ｂ    保持部
２１Ｂａ    貫通孔
２１Ｃ    周回壁部
２１Ｃａ，２１Ｃｂ    切り欠き部
２３    貫通通路部
３１    帯状部材（保持具）
Ｓ１    電話機への線
Ｓ２    モジュラー端子への線
Ｓ３，Ｓ４    信号線
Ｓ５    電源線
【図１】
2006217394.tif 000003
【図２】
2006217394.tif 000004
【図３】
2006217394.tif 000005
【図４】
2006217394.tif 000006
【図５】
2006217394.tif 000007
【図６】
2006217394.tif 000008